(57)【要約】【課題】フィルタの脱臭能力の再生効率を高める。【解決手段】吸着ユニットは、板状に形成されるフィルタと、フィルタの一部に対向して配置される放熱板と、放熱板を加熱することにより放熱板を介してフィルタの一部を加熱するヒータと、放熱板に対してフィルタを移動させる駆動部と、放熱板を覆うケースと、を備える。ケースの内部空間は、ヒータが配置される第一空間部と、ヒータが配置されない第二空間部と、を有する。【選択図】図１２
2018153744.tif 000002
【特許請求の範囲】
【請求項１】
板状に形成されるフィルタと、
前記フィルタの一部に対向して配置される放熱板と、
前記放熱板を加熱することにより前記放熱板を介して前記フィルタの一部を加熱するヒータと、
前記放熱板に対して前記フィルタを移動させる駆動部と、
前記放熱板を覆うケースと、を備え、
前記ケースの内部空間は、前記ヒータが配置される第一空間部と、前記ヒータが配置されない第二空間部と、を有する、吸着ユニット。
【請求項２】
前記第二空間部は、前記第一空間部内へ前記フィルタが進入する進入側に設けられて前記フィルタを温める予熱空間部と、前記第一空間部内から前記フィルタが退出する退出側に設けられて前記フィルタを保温する保温空間部のうち、少なくともいずれか一方の空間部である、
請求項１に記載の吸着ユニット。
【請求項３】
前記第二空間部は、前記ケースの外周に沿って形成されている、
請求項１または２に記載の吸着ユニット。
【請求項４】
前記ケースは、前記第一空間部と前記第二空間部とを仕切る仕切り壁を有する、
請求項１ないし３のいずれか１項に記載の吸着ユニット。
【請求項５】
前記ケースは、前記ケースの外周に沿って形成された外周壁を有し、
前記第二空間部は、前記仕切り壁と前記外周壁とによって形成されている、
請求項４に記載の吸着ユニット。
【請求項６】
請求項１ないし５のいずれか１項に記載の吸着ユニットを備え、
前記フィルタは、空気が通過することにより前記空気に含有される臭気成分を吸着し、加熱されることにより前記臭気成分を分解する、
空気清浄機。
【発明の詳細な説明】
【技術分野】
【０００１】
本発明は、吸着ユニット及び空気清浄機に関する。
【背景技術】
【０００２】
従来、室内の空気を脱臭フィルタに通過させることにより、空気に含まれる臭気成分を脱臭フィルタに吸着させ、脱臭フィルタを加熱することにより、脱臭フィルタの脱臭能力を再生させる空気清浄機が知られている。このような空気清浄機のなかには、板状の脱臭フィルタが回転可能に設けられるとともに、脱臭フィルタの一部を、放熱板によって加熱する加熱空間部を備える空気清浄機が知られている。
【先行技術文献】
【特許文献】
【０００３】
【特許文献１】特開２０１６−４３１０５号公報
【特許文献２】特開平１０−２７７３６５号公報
【発明の概要】
【発明が解決しようとする課題】
【０００４】
ところで、上述のような空気清浄機の加熱空間部は、外側の空気（脱臭フィルタを通過する被処理空気）に隣接して晒されている。このため、脱臭フィルタに脱臭能力の再生作用が生じる所定温度まで加熱空間部が脱臭フィルタを加熱するのに時間を要する。また、加熱空間部で加熱された脱臭フィルタは、加熱空間部を通過後すぐに外側の空気に晒されるため、脱臭フィルタの温度が下がりやすく、脱臭フィルタの脱臭能力の再生効率の低下を招いている。
【０００５】
開示の技術は、少なくとも上記課題のいずれか一方に鑑みてなされたものであって、フィルタの脱臭能力の再生効率を高めることができる吸着ユニットおよび空気清浄機を提供することを目的とする。
【課題を解決するための手段】
【０００６】
本願の開示する吸着ユニットの一態様は、板状に形成されるフィルタと、前記フィルタの一部に対向して配置される放熱板と、前記放熱板を加熱することにより前記放熱板を介して前記フィルタの一部を加熱するヒータと、前記放熱板に対して前記フィルタを移動させる駆動部と、前記放熱板を覆うケースと、を備える。前記ケースの内部空間は、前記ヒータが配置される第一空間部と、前記ヒータが配置されない第二空間部と、を有する。
【発明の効果】
【０００７】
本願の開示する吸着ユニットの一態様によれば、フィルタの脱臭能力の再生効率を高めることができる。
【図面の簡単な説明】
【０００８】
【図１】図１は、実施例の空気清浄機の外観を示す斜視図である。
【図２】図２は、実施例の空気清浄機を示す平面図である。
【図３】図３は、実施例の空気清浄機を示す図１におけるＡ−Ａ断面図である。
【図４】図４は、実施例の空気清浄機を示す図１におけるＢ−Ｂ断面図である。
【図５】図５は、実施例の脱臭ユニットを示す斜視図である。
【図６】図６は、実施例の脱臭ユニットを示す分解斜視図である。
【図７】図７は、実施例の脱臭ユニットの脱臭フィルタ部を示す斜視図である。
【図８】図８は、実施例の脱臭ユニットのフィルタ再生部を示す図６におけるＣ−Ｃ断面図である。
【図９】図９は、実施例の脱臭ユニットのフィルタ再生部を示す分解斜視図である。
【図１０】図１０は、実施例におけるフィルタ再生部の前面側ケース部材を内側から示す斜視図である。
【図１１】図１１は、実施例におけるフィルタ再生部の背面側ケース部材を内側から示す斜視図である。
【図１２】図１２は、実施例における背面側ケース部材の加熱空間部、予熱空間部及び保温空間部を説明するための平面図である。
【図１３】図１３は、実施例における背面側ケース部材の加熱空間部に背面側放熱板を取り付けた状態を示す平面図である。
【図１４】図１４は、実施例における予熱空間部及び保温空間部の概念を説明するための模式図である。
【図１５】図１５は、実施例におけるケースの予熱空間部及び保温空間部の作用を説明するための模式図である。
【図１６】図１６は、実施例における脱臭フィルタの加熱状態を模式的に示すグラフである。
【発明を実施するための形態】
【０００９】
以下に、本願の開示する吸着ユニット及び空気清浄機の実施例を図面に基づいて詳細に説明する。なお、以下の実施例によって、本願の開示する吸着ユニット及び空気清浄機が限定されるものではない。
【実施例】
【００１０】
［空気清浄機の構成］
図１は、実施例の空気清浄機の外観を示す斜視図である。一実施例である空気清浄機１は、図１に示すように、本体筐体１１と、前面パネル１２と、フロントパネル１３と、リアパネル１４と、を備えている。本体筐体１１は、合成樹脂材で形成され、略直方体状に形成されている。本体筐体１１は、天面パネル１１ａ、右側面パネル１１ｂ、左側面パネル１１ｃ及び底部１１ｄを備えている。底部１１ｄは、本体筐体１１の下部を形成しており、空気清浄機１が設置される設置面に載置される。右側面パネル１１ｂと左側面パネル１１ｃは、対向するように配置されることにより本体筐体１１の側面を形成し、それぞれの下端が底部１１ｄに接合されている。天面パネル１１ａは、本体筐体１１の上部を形成しており、右側面パネル１１ｂの上端と左側面パネル１１ｃの上端とに接合されている。前面パネル１２は、本体筐体１１の前面に配置されている。フロントパネル１３は、前面パネル１２の前方に配置されている。
【００１１】
フロントパネル１３と前面パネル１２との間には、上面吸込口１３ａ、右側面吸込口１３ｂ、左側面吸込口１３ｃ及び下側吸込口１３ｄが形成されている。上面吸込口１３ａは、フロントパネル１３の上側に配置されている。右側面吸込口１３ｂは、フロントパネル１３の右側面パネル１１ｂの側に配置されている。左側面吸込口１３ｃは、フロントパネル１３の左側面パネル１１ｃの側に配置されている。下側吸込口１３ｄは、フロントパネル１３の底部１１ｄの側に配置されている。
【００１２】
空気清浄機１は、操作部１５をさらに備えている。操作部１５は、上面吸込口１３ａの一部を覆うように、空気清浄機１の上面に配置されている。操作部１５は、ボタン及び表示部を有する。ボタンは、電源ボタンや運転モード切り換えボタン等を含み、空気清浄機１を操作するときに用いられる。表示部は、空気清浄機１の運転状態や図示しない塵埃センサ等の検出器の検出結果を表示する。
【００１３】
図２は、実施例の空気清浄機を示す平面図である。リアパネル１４は、合成樹脂材で形成され、図２に示すように、前面パネル１２が配置される前面の反対側の背面に配置されている。本体筐体１１とリアパネル１４との間には、上面吹出口１４ａと右側面吹出口１４ｂと左側面吹出口１４ｃとが形成されている。上面吹出口１４ａは、リアパネル１４の天面パネル１１ａの側に配置されている。右側面吹出口１４ｂは、リアパネル１４の右側面パネル１１ｂの側に配置されている。左側面吹出口１４ｃは、リアパネル１４の左側面パネル１１ｃの側に配置されている。
【００１４】
空気清浄機１は、上面吸込口１３ａ、右側面吸込口１３ｂ、左側面吸込口１３ｃ及び下側吸込口１３ｄのそれぞれから本体筐体１１に吸い込んだ空気を、上面吹出口１４ａ、右側面吹出口１４ｂ及び左側面吹出口１４ｃのそれぞれから吹き出すまでに、空気の除塵処理、加湿処理及び脱臭処理を行う。
【００１５】
なお、図１以降において、空気清浄機１の前後方向（奥行方向）をＸ方向、空気清浄機１の幅方向をＹ方向、空気清浄機１の高さ方向をＺ方向として示す。また、以下の説明では、本体筐体１１の前面パネル１２が配置される側を「前面側」とし、本体筐体１１のリアパネル１４が配置される側を「背面側」とする。
【００１６】
図３は、実施例の空気清浄機を示す図１におけるＡ−Ａ断面図である。本体筐体１１は、図３に示すように、内部に通風路１０が形成されている。通風路１０は、上面吸込口１３ａと右側面吸込口１３ｂと左側面吸込口１３ｃと下側吸込口１３ｄとを、上面吹出口１４ａと右側面吹出口１４ｂと左側面吹出口１４ｃとに連通している。
【００１７】
空気清浄機１は、さらに、プレフィルタ２１、集塵ユニット２２、吸着ユニットとしての脱臭ユニット２３、加湿ユニット２４及び送風機２５を備えている。プレフィルタ２１、集塵ユニット２２、脱臭ユニット２３、加湿ユニット２４及び送風機２５は、本体筐体１１の内部の通風路１０に配置されている。
【００１８】
プレフィルタ２１は、例えば、糸状のＰＥＴ（ポリエチレンテレフタラート）材が編み込まれた網目構造体として形成されている。プレフィルタ２１は、通風路１０の前面側に配置されている。プレフィルタ２１は、上面吸込口１３ａ、右側面吸込口１３ｂ、左側面吸込口１３ｃ及び下側吸込口１３ｄから本体筐体１１の内部の通風路１０にそれぞれ吸い込まれる空気に含まれる塵埃を捕集する。
【００１９】
集塵ユニット２２は、通風路１０のうちのプレフィルタ２１の背面側に配置されている。本体筐体１１は、さらに、仕切板１６を備えている。仕切板１６は、フロントパネル１３の背面側に配置されており、本体筐体１１の一部を形成している。集塵ユニット２２は、第１電気集塵機２２ａ及び第２電気集塵機２２ｂを有する。第１電気集塵機２２ａ及び第２電気集塵機２２ｂは、上下方向に並べられ、仕切板１６に支持されている。第１電気集塵機２２ａ及び第２電気集塵機２２ｂは、それぞれ、図示しない筐体、放電電極及び集塵電極を有する。筐体の内部には、放電電極と集塵電極が支持されている。放電電極は、プレフィルタ２１で捕集されなかった細かな塵埃や花粉等をコロナ放電により帯電させる。集塵電極は、放電電極により帯電された塵埃や花粉等を捕集する。集塵ユニット２２は、第１電気集塵機２２ａと第２電気集塵機２２ｂとが、放電電極及び集塵電極、筐体とで形成されていることにより、例えば不織布をプリーツ形状に形成してなる他の集塵フィルタに比べて、空気抵抗が小さい。
【００２０】
脱臭ユニット２３は、通風路１０のうちのプレフィルタ２１の背面側に配置されている。加湿ユニット２４は、通風路１０のうちの脱臭ユニット２３の背面側に配置されている。加湿ユニット２４は、加湿フィルタ２４ａ及び貯水タンク２４ｂを有する。貯水タンク２４ｂには、水が貯留される。加湿フィルタ２４ａは、円板形状に形成されており、貯水タンク２４ｂに溜められた水に、加湿フィルタ２４ａの一部が浸るように配置されている。加湿フィルタ２４ａは、さらに、貯水タンク２４ｂに溜められた水に浸る部分が移動するように、回転軸により回転可能に支持されており、図示しないモータにより回転される。加湿ユニット２４は、貯水タンク２４ｂに溜められた水により湿らされた加湿フィルタ２４ａに空気を通すことにより、通風路１０を流れる空気を加湿する。
【００２１】
なお、加湿ユニット２４は、上記の構成に限らず、例えば、貯水タンク２４ｂに溜められた水を加湿フィルタ２４ａの外周側に形成された複数の凹部で汲み上げて加湿フィルタ２４ａを湿潤させる水車のように構成されてもよい。この場合、加湿フィルタ２４ａは貯水タンク２４ｂに溜められた水に浸からないように設けられてもよい。また、加湿フィルタ２４ａは回転しないように設けられてもよい。この場合、加湿フィルタ２４ａは、貯水タンク２４ｂに溜められた水を毛細管現象により吸い上げる他の加湿フィルタに置換されてもよい。
【００２２】
送風機２５は、通風路１０のうちの加湿ユニット２４の背面側に配置されている。送風機２５は、ターボファン２５ａ及びファンモータ２５ｂを有する。ファンモータ２５ｂは、回転数可変であり、ターボファン２５ａを回転させる。ターボファン２５ａは、合成樹脂材によって形成されており、ファンモータ２５ｂの出力軸に接続されている。ターボファン２５ａは、回転することにより、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって空気を流す。すなわち、送風機２５は、上面吸込口１３ａ、右側面吸込口１３ｂ、左側面吸込口１３ｃ及び下側吸込口１３ｄから、空気清浄機１の内部へ空気を取り込み、通風路１０に沿って空気を通過させる。送風機２５は、さらに、上面吹出口１４ａ、右側面吹出口１４ｂ及び左側面吹出口１４ｃを介して、通風路１０を通過した空気を空気清浄機１の外部に放出する。
【００２３】
送風機２５は、ファンモータ２５ｂの中心の高さＤが、集塵ユニット２２の第１電気集塵機２２ａと第２電気集塵機２２ｂとの間の空間の高さと一致するように配置されている。ファンモータ２５ｂの中心付近は、ターボファン２５ａの回転による空気の流れが少ないので、通風路１０におけるファンモータ２５ｂの中心付近の空間での空気の流れが少ない。集塵ユニット２２は、第１電気集塵機２２ａと第２電気集塵機２２ｂとの間を空気が通過しない。このため、集塵ユニット２２は、空気の流れが多い空間に第１電気集塵機２２ａ及び第２電気集塵機２２ｂが配置されることにより、除塵を高効率に行うことができる。
【００２４】
図４は、実施例の空気清浄機を示す図１におけるＢ−Ｂ断面図である。プレフィルタ２１は、図４に示すように、中央が前面側に向かって凸となるアーチ形状に形成されている。このため、プレフィルタ２１は、プレフィルタ２１を平坦状に形成する場合と比べて、上面吸込口１３ａ、右側面吸込口１３ｂ、左側面吸込口１３ｃ及び下側吸込口１３ｄから、本体筐体１１の内部にそれぞれ吸い込まれた空気がプレフィルタ２１を通過する面積が大きい。これにより、プレフィルタ２１は、上面吸込口１３ａ、右側面吸込口１３ｂ、左側面吸込口１３ｃ及び下側吸込口１３ｄから、本体筐体１１の内部に吸い込まれた空気から、より一層多くの塵埃を捕集することが可能とされている。
【００２５】
［脱臭ユニットの構成］
図５は、実施例の脱臭ユニットを示す斜視図である。実施例の吸着ユニットとしての脱臭ユニット２３は、図５に示すように、脱臭フィルタ部２３ａと、フィルタ再生部２３ｆと、保持部２３ｇとを有する。脱臭フィルタ部２３ａは、円板状に形成されている。フィルタ再生部２３ｆは、略三角柱形状に形成されており、脱臭フィルタ部２３ａの周方向における一部の両面を覆っている。保持部２３ｇは、本体筐体１１に固定されており、脱臭フィルタ部２３ａ及びフィルタ再生部２３ｆを支持している。
【００２６】
図６は、実施例の脱臭ユニット２３を示す分解斜視図である。保持部２３ｇは、図６に示すように、合成樹脂材によって略四角形状に形成されており、脱臭フィルタ部２３ａの形状に応じた円形状の開口部２３ｇｄが中央に形成されている。さらに、保持部２３ｇは、開口部２３ｇｄの上方（保持部２３ｇを通風路１０に配置したときに上側となる箇所。以下、「上方」と記載）には、フィルタ再生部２３ｆの形状に応じた凹形状の再生部収納部２３ｇｅが形成されている。
【００２７】
さらに、脱臭ユニット２３は、２個のローラ２３ｍ、回転検出用歯車２３ｋ、回転検出部２３ｒ、駆動部２３ｈ、駆動歯車２３ｊ及び４枚の押さえ部材２３ｚを有する。２個のローラ２３ｍの各々は、合成樹脂材によって形成されており、筒部２３ｍｂ、上フランジ２３ｍｃ及び下フランジ２３ｍｄを有する。筒部２３ｍｂは、孔２３ｍａを有する円筒形状に形成されている。上フランジ２３ｍｃ及び下フランジ２３ｍｄは、各々筒部２３ｍｂよりも直径が大きい円板形状に形成されており、筒部２３ｍｂの両端から外周側へ張り出している。保持部２３ｇには、２本の第１軸２３ｇａが形成されている。２本の第１軸２３ｇａは、保持部２３ｇの下方（保持部２３ｇを通風路１０に配置したときに下側となる箇所。以下、「下方」と記載）の両隅に配置されている。２本の第１軸２３ｇａは、それぞれ、２個のローラ２３ｍの孔２３ｍａに挿入されることにより、２個のローラ２３ｍを回転自在に支持している。
【００２８】
回転検出用歯車２３ｋは、合成樹脂材によって形成されている。保持部２３ｇには、さらに、第２軸２３ｇｂが形成されている。第２軸２３ｇｂは、再生部収納部２３ｇｅの左側（脱臭フィルタ部２３ａを前面側から見たときの左側）に配置されている。第２軸２３ｇｂは、回転検出用歯車２３ｋが挿入されることにより、回転検出用歯車２３ｋを回動自在に支持している。回転検出部２３ｒは、回転検出用歯車２３ｋの回転を検出する。回転検出部２３ｒとしては、例えば、フォトインタラプタが用いられている。フォトインタラプタは、発光部及び受光部を有しており、発光部と受光部が、検知対象を挟んで互いに対向して配置されている。フォトインタラプタは、発光部から発光された光を受光部で検出することにより、検知対象の有無や位置を検出することが可能になる。
【００２９】
駆動歯車２３ｊは、合成樹脂材で形成されている。駆動部２３ｈは、例えばステッピングモータを有しており、ステッピングモータの出力軸に駆動歯車２３ｊが取り付けられている。保持部２３ｇには、さらに、駆動部固定部２３ｇｃが形成されている。駆動部固定部２３ｇｃは、再生部収納部２３ｇｅの右側（脱臭フィルタ部２３ａを前面側から見たときの右側）に配置されて、駆動部２３ｈを支持している。駆動部２３ｈは、駆動歯車２３ｊを回転させる。
【００３０】
４枚の押さえ部材２３ｚは、合成樹脂材によって、略五角形状の板材として形成されており、保持部２３ｇに嵌め込み可能な形状に形成されている。押さえ部材２３ｚは、２個のローラ２３ｍ、回転検出用歯車２３ｋ、駆動部２３ｈ及び駆動歯車２３ｊが保持部２３ｇに装着された後に、保持部２３ｇに嵌め込まれる。押さえ部材２３ｚは、保持部２３ｇに嵌め込まれることにより、２個のローラ２３ｍと回転検出用歯車２３ｋと駆動部２３ｈと駆動歯車２３ｊとを押さえて、保持部２３ｇから外れないように支持している。
【００３１】
図７は、実施例の脱臭ユニットの脱臭フィルタ部２３ａを示す斜視図である。脱臭フィルタ部２３ａは、図７に示すように、脱臭フィルタ２３ａａ、外周部フィルタカバー２３ａｃ及び内周部フィルタカバー２３ａｅを有する。
【００３２】
脱臭フィルタ２３ａａは、円板状に形成されており、中央に貫通孔２３ａａｏが形成されている。脱臭フィルタ２３ａａは、脱臭フィルタ２３ａａの厚さ方向に空気が通過するように形成されている。脱臭フィルタ２３ａａは、通過する空気から臭気成分を吸着し、後述するＰＴＣヒータ２３ｂによって加熱されることで、吸着された臭気成分を分解する。例えば、脱臭フィルタ２３ａａは、図示しない基材と、基材に形成された触媒層とを有する。基材は、アルミニウム等の板材によって形成されており、ハニカム構造に例示される多孔構造に形成されている。触媒層は、触媒によって形成されており、基材の表面を被覆している。触媒は、触媒層の近傍を流れる空気から臭気成分を吸着し、加熱されること、吸着された臭気成分を分解する。脱臭フィルタ２３ａａは、多孔構造に形成されていることにより、及び、フィルタ再生部２３ｆが脱臭フィルタ２３ａａの一部のみを覆い大部分を覆っていないことにより、空気抵抗が小さい。
【００３３】
外周部フィルタカバー２３ａｃは、概ね円環状に形成されており、脱臭フィルタ２３ａａの外周部に沿って配置されている。外周部フィルタカバー２３ａｃは、脱臭フィルタ２３ａａの外周縁部を覆って外周部の端面を保護している。内周部フィルタカバー２３ａｅは、概ね円環状に形成されており、脱臭フィルタ２３ａａの貫通孔２３ａａｏの内部に配置されており、脱臭フィルタ２３ａａにおける内周縁部を覆って内周部の端面を保護している。内周部フィルタカバー２３ａｅには、貫通孔２３ａｄが形成されている。
【００３４】
また、外周部フィルタカバー２３ａｃには、脱臭フィルタ２３ａａの厚み方向（Ｘ方向）における両面に、脱臭フィルタ２３ａａの厚み方向に突出する第１凸部２３ａｃｐがそれぞれ一体に形成されている。また、外周部フィルタカバー２３ａｃと同様に、内周部フィルタカバー２３ａｅには、脱臭フィルタ２３ａａの厚み方向（Ｘ方向）における両面に、脱臭フィルタ２３ａａの厚み方向に突出する第２凸部２３ａｅｐがそれぞれ一体に形成されている。これら第１凸部２３ａｃｐ及び第２凸部２３ａｅｐによって、脱臭フィルタ２３ａａの厚み方向において、放熱板２３ｃと脱臭フィルタ２３ａａとの間隔が適正に規制されている。
【００３５】
［フィルタ再生部の構成］
図８は、実施例の脱臭ユニット２３のフィルタ再生部２３ｆを示す図６におけるＣ−Ｃ断面を示している。フィルタ再生部２３ｆは、図８に示すように、ケース２３ｅと、放熱板２３ｃと、ＰＴＣ（Ｐｏｓｉｔｉｖｅ  Ｔｅｍｐｅｒａｔｕｒｅ  Ｃｏｅｆｆｉｃｉｅｎｔ）ヒータ２３ｂと、を有する。ケース２３ｅは、略三角柱形状の箱状に形成されている。ケース２３ｅは、脱臭フィルタ部２３ａの周方向の一部を覆っている。ケース２３ｅは、組み合わされる一対の、前面側ケース部材２３ｅａと、背面側ケース部材２３ｅｂと、を有する。前面側ケース部材２３ｅａは、ケース２３ｅの前面側の部分を形成している。背面側ケース部材２３ｅｂは、ケース２３ｅの背面側の部分を形成している。前面側ケース部材２３ｅａと背面側ケース部材２３ｅｂで構成されたケース２３ｅの内部には空間が形成される。この空間（以下、「内部空間」という）は、例えば、後述するように、ＰＴＣヒータ２３ｂが配置される第一空間部と、ＰＴＣヒータ２３ｂが配置されない第二空間部とを有する。例えば、後述するように、第一空間部として加熱空間部Ｓ１を有する。また、第二空間部として、脱臭フィルタ２３ａａを予め温める予熱空間部Ｓ２と、脱臭フィルタ２３ａａを保温する保温空間部Ｓ３と、を有する。また、この内部空間は、加熱空間部Ｓ１と予熱空間部Ｓ２とを分けると共に加熱空間部Ｓ１と保温空間部Ｓ３とを分ける内周壁２３ｐａ、２３ｐｂを有する。
【００３６】
放熱板２３ｃは、対向して配置される一組の前面側放熱板２３ｃａと背面側放熱板２３ｃｂを有する。前面側放熱板２３ｃａは、ケース２３ｅの内部に支持されている。前面側放熱板２３ｃａは、脱臭フィルタ部２３ａの周方向における一部に対向する。脱臭フィルタ部２３ａは、前面側放熱板２３ｃａによって脱臭フィルタ部２３ａの一部が前面側から覆われている。同様に、背面側放熱板２３ｃｂは、ケース２３ｅの内部に支持されている。背面側放熱板２３ｃｂは、脱臭フィルタ部２３ａの周方向における一部に対向する。脱臭フィルタ部２３ａは、背面側放熱板２３ｃｂによって脱臭フィルタ部２３ａの一部が背面側から覆われている。
【００３７】
ＰＴＣヒータ２３ｂは、通電されることにより発熱し、温度上昇に伴って抵抗値が増加する性質を有しており、この性質を利用して発熱量を自己制御する。ＰＴＣヒータ２３ｂは、直方体状に形成されており、ケース２３ｅの内部に設けられている。ＰＴＣヒータ２３ｂは、脱臭フィルタ部２３ａの外周側に配置されており、前面側放熱板２３ｃａと背面側放熱板２３ｃｂとの間に挟まれて支持されている。ＰＴＣヒータ２３ｂは、後述する背面側放熱板２３ｃｂの位置決め突起２３ｃｆ（図９）に突き当てられる。また、ＰＴＣヒータ２３ｂは、背面側ケース部材２３ｅｂの第１支持部２３ｓ１の第１リブ２３ｓａの規制面２３ｓａｂ（図１１）に突き当てられる。これにより、ＰＴＣヒータ２３ｂはＺ方向の両側への移動が規制されている。
【００３８】
図９は、実施例の脱臭ユニットのフィルタ再生部２３ｆを示す分解斜視図である。前面側放熱板２３ｃａ及び背面側放熱板２３ｃｂは、例えば、アルミニウム材またはアルミ合金材等の熱伝導性が良好な材料によって形成されている。前面側放熱板２３ｃａは、図９に示すように、脱臭フィルタ部２３ａの前面側に配置されている。前面側放熱板２３ｃａの外形は、脱臭フィルタ部２３ａの貫通孔２３ａｄから脱臭フィルタ部２３ａの外周側に向かうにつれて左右方向（脱臭フィルタ部２３ａの周方向）に対する幅寸法が大きくなる略三角形状に形成されている。前面側放熱板２３ｃａは、フィルタ対向面２３ｃａａとカバー対向面２３ｃａｂを有する。フィルタ対向面２３ｃａａは、前面側放熱板２３ｃａの一方の面であり、カバー対向面２３ｃａｂは、前面側放熱板２３ｃａの他方の面である。前面側放熱板２３ｃａには、脱臭フィルタ部２３ａの貫通孔２３ａｄと対応する貫通孔２３ｃａｇが形成されている。貫通孔２３ｃａｇには、後述する背面側ケース部材２３ｅｂの軸部２３ｘａが挿通される。
【００３９】
背面側放熱板２３ｃｂは、脱臭フィルタ部２３ａの背面側に対向して配置されている。背面側放熱板２３ｃｂの外形は、脱臭フィルタ部２３ａの貫通孔２３ａｄから外周側に向かうにつれて左右方向（脱臭フィルタ部２３ａの周方向）に対する幅寸法が大きくなる略三角形状に形成されている。背面側放熱板２３ｃｂは、フィルタ対向面２３ｃｂａとカバー対向面２３ｃｂｂを有する。フィルタ対向面２３ｃｂａは、背面側放熱板２３ｃｂの一方の面であり、カバー対向面２３ｃｂｂは、フィルタ対向面２３ｃｂａの他方の面である。
【００４０】
図８及び図９に示すように、背面側放熱板２３ｃｂのフィルタ対向面２３ｃｂａには、ＰＴＣヒータ２３ｂを位置決めする位置決め突起２３ｃｆが設けられており、位置決め突起２３ｃｆがＰＴＣヒータ２３ｂの外周面に当たることで、Ｚ方向の一方側（脱臭フィルタ部２３ａの内周側）に対するＰＴＣヒータ２３ｂの位置が規制されている。また、背面側放熱板２３ｃｂと同様に、前面側放熱板２３ｃａのフィルタ対向面２３ｃａａにも、ＰＴＣヒータ２３ｂを位置決めする位置決め突起２３ｃｇが設けられている（図８参照）。背面側放熱板２３ｃｂの内周側端部には、後述する背面側ケース部材２３ｅｂの軸部２３ｘａが挿通される貫通孔２３ｃｂｇが形成されている。
【００４１】
ＰＴＣヒータ２３ｂは、前面側放熱板２３ｃａのフィルタ対向面２３ｃａａ及び背面側放熱板２３ｃｂのフィルタ対向面２３ｃｂａにおける脱臭フィルタ部２３ａの外周側の側縁部に、前面側放熱板２３ｃａと背面側放熱板２３ｃｂとの間に挟まれて支持されている。前面側放熱板２３ｃａは、フィルタ対向面２３ｃａａが脱臭フィルタ部２３ａに対向するように配置されている。背面側放熱板２３ｃｂは、フィルタ対向面２３ｃｂａが脱臭フィルタ部２３ａに対向するように配置されている。なお、ＰＴＣヒータ２３ｂと、前面側放熱板２３ｃａ及び背面側放熱板２３ｃｂとの間には、熱伝導性を高めるために熱伝導グリース等が塗布されてもよい。
【００４２】
図１０は、実施例におけるフィルタ再生部２３ｆの前面側ケース部材２３ｅａを内側から示す斜視図である。言い換えれば、図１０は、ケース２３ｅの内部空間の前面側（前面側内部空間）を示す斜視図である。図１１は、実施例におけるフィルタ再生部２３ｆの背面側ケース部材２３ｅｂを内側から示す斜視図である。言い換えれば、図１１は、ケース２３ｅの内部空間の背面側（背面側内部空間）を示す斜視図である。
【００４３】
説明の便宜上、背面側ケース部材２３ｅｂから先に説明する。背面側ケース部材２３ｅｂは、合成樹脂材によって、図９に示すように、背面側放熱板２３ｃｂの外形よりも一回り大きい略三角形状に形成されている。図１１に示すように、背面側ケース部材２３ｅｂは、その内側に第一空間部としての加熱空間部Ｓ１ｂ（加熱空間部Ｓ１の背面側に相当する）を有している。例えば、加熱空間部Ｓ１ｂにはＰＴＣヒータ２３ｂ及び背面側放熱板放熱板２３ｃｂが配置される。加熱空間部Ｓ１ｂは、脱臭フィルタ２３ａａを加熱するための空間として機能する。
【００４４】
背面側ケース部材２３ｅｂは、有底の箱状に形成されており、背面側ケース部材２３ｅｂは、底部２３ｅｄａと、背面側ケース部材２３ｅｂの外周に沿って形成された外周壁としての第１側部２３ｅｄｂ、第２側部２３ｅｄｃ、第３側部２３ｅｄｄ及び第４側部２３ｅｄｅと、を有する。底部２３ｅｄａは、略三角形の板状に形成されている。第１側部２３ｅｄｂ、第２側部２３ｅｄｃ、第３側部２３ｅｄｄ及び第４側部２３ｅｄｅは、それぞれ、底部２３ｅｄａの外周部から立ち上がって形成されている。第１側部２３ｅｄｂは、底部２３ｅｄａの外周部における、脱臭フィルタ部２３ａの貫通孔２３ａｄ側に配置される部分に形成されている。第４側部２３ｅｄｅは、底部２３ｅｄａの外周部における、脱臭フィルタ部２３ａの外周側に配置される部分に形成されている。第２側部２３ｅｄｃと第３側部２３ｅｄｄは、底部２３ｅｄａの外周部のＹ方向の両側の部分に形成されている。底部２３ｅｄａと第１側部２３ｅｄｂ、第２側部２３ｅｄｃ、第３側部２３ｅｄｄ及び第４側部２３ｅｄｅとで囲まれた空間が背面側内部空間となる。
【００４５】
図１１に示すように、背面側ケース部材２３ｅｂの底部２３ｅｄａには、背面側放熱板２３ｃｂの外周に沿って内周壁２３ｐｂが形成されている。内周壁２３ｐｂは、第１側部２３ｅｄｂ、第２側部２３ｅｄｃ、第３側部２３ｅｄｄに対して所定の間隔をあけて形成されており、内周壁２３ｐｂの両端が第４側部２３ｅｄｅに連結されている。底部２３ｅｄａと内周壁２３ｐｂで囲まれた空間が加熱空間部Ｓ１ｂとなる。このため、背面側ケース部材２３ｅｂで形成される背面側内部空間は、底部２３ｅｄａと内周壁２３ｐｂで囲まれた加熱空間部Ｓ１ｂと、底部２３ｅｄａと第２側部２３ｅｄｃと内周壁２３ｐｂとで囲まれた第二空間部としての予熱空間部Ｓ２ｂと、第３側部２３ｅｄｄと内周壁２３ｐｂとの間に形成された第二空間部としての保温空間部Ｓ３ｂと、を有する。予熱空間部Ｓ２ｂ及び保温空間部Ｓ３ｂは、加熱空間部Ｓ１ｂとケース２３ｅの外部とを断熱する空間（空気層）として機能すると共に、加熱空間部Ｓ１ｂから伝わる熱によって内部が温められる空間として機能する。したがって、背面側ケース部材２３ｅｂの背面側内部空間は、内周壁２３ｐｂによって、加熱空間部Ｓ１ｂと、予熱空間部Ｓ２ｂ及び保温空間部Ｓ３ｂとにそれぞれ分けられている。すなわち、内周壁２３ｐｂは、加熱空間部Ｓ１ｂと、予熱空間部Ｓ２ｂと、保温空間部Ｓ３ｂとをそれぞれ分ける分割部の一例である仕切り壁として、底部２３ｅｄａに一体に形成されている。
【００４６】
背面側ケース部材２３ｅｂの底部２３ｅｄａには、脱臭フィルタ部２３ａの貫通孔２３ａｄに挿通されて脱臭フィルタ部２３ａを回転可能に支持する軸部２３ｘａが形成されている。軸部２３ｘａは、結合部材としてのネジ２３ｔ等がねじ込まれる貫通孔２３ｘａａを有する。また、背面側ケース部材２３ｅｂの底部２３ｅｄａのＹ方向における両側には、前面側ケース部材２３ｅａと背面側ケース部材２３ｅｂとを一体に固定する結合部材としてのネジ２３ｔ等がねじ込まれる貫通孔２３ｘｂａを有するボス２３ｘｂがそれぞれ形成されている。
【００４７】
背面側ケース部材２３ｅｂの底部２３ｅｄａには、２つの第１支持部２３ｓ１が形成されている。第１支持部２３ｓ１は、背面側放熱板２３ｃｂの外周部２３ｃｂｈと、背面側放熱板２３ｃｂに重ねられるＰＴＣヒータ２３ｂ及び前面側放熱板２３ｃａの外周部２３ｃａｈをそれぞれ支持する。また、背面側ケース部材２３ｅｂの底部２３ｅｄａには、背面側放熱板２３ｃｂの外周部２３ｃｂｈを支持する第２支持部２３ｓ２がそれぞれ形成されている。
【００４８】
第１支持部２３ｓ１は、背面側ケース部材２３ｅｂのＹ方向における両側にそれぞれ配置されており、ボス２３ｘｂの近傍、例えばボス２３ｘｂに隣接して配置されている。第１支持部２３ｓ１は、背面側放熱板２３ｃｂ（前面側放熱板２３ｃａ）のＺＹ面内方向におけるＺ方向に対する背面側放熱板２３ｃｂ、前面側放熱板２３ｃａ及びＰＴＣヒータ２３ｂの移動を規制する第１リブ２３ｓａと、背面側放熱板２３ｃｂ（前面側放熱板２３ｃａ）のＺＹ面におけるＹ方向に対する背面側放熱板２３ｃｂ、前面側放熱板２３ｃａ及びＰＴＣヒータ２３ｂの移動を規制する第２リブ２３ｓｂと、を有する。
【００４９】
第１リブ２３ｓａは、背面側ケース部材２３ｅｂの底部２３ｅｄａから突出して形成されており、背面側放熱板２３ｃｂと背面側ケース部材２３ｅｂの内面との間に空間をあけた状態で背面側放熱板２３ｃｂの外周部２３ｃｂｈを支持する。第１リブ２３ｓａは、ボス２３ｘｂの外周面に連結されている。第１リブ２３ｓａは、背面側放熱板２３ｃｂをＸ方向に支持する支持面２３ｓａａと、背面側放熱板２３ｃｂ、前面側放熱板２３ｃａ及びＰＴＣヒータ２３ｂのＺ方向の移動を規制する規制面２３ｓａｂと、を有する。第２リブ２３ｓｂは、背面側ケース部材２３ｅｂの底部２３ｅｄａから突出して、内周壁２３ｐｂと第２側部２３ｅｄｃ、または内周壁２３ｐｂと第３側部２３ｅｄｄとに跨って形成されており、内周壁２３ｐｂの機械的強度が補強されている。第２リブ２３ｓｂは、背面側放熱板２３ｃｂをＸ方向に支持する支持面２３ｓｂａと、背面側放熱板２３ｃｂ、前面側放熱板２３ｃａ及びＰＴＣヒータ２３ｂのＹ方向の移動を規制する規制面２３ｓｂｂと、を有する。
【００５０】
第２支持部２３ｓ２は、背面側ケース部材２３ｅｂのＺ方向における一端側（脱臭フィルタ部２３ａの貫通孔２３ａｄ側）に、軸部２３ｘａに隣接して配置されている。第２支持部２３ｓ２は、背面側放熱板２３ｃｂ（前面側放熱板２３ｃａ）のＺＹ面におけるＺ方向に対する背面側放熱板２３ｃｂの移動を規制する第３リブ２３ｓｃと、背面側放熱板２３ｃｂ（前面側放熱板２３ｃａ）のＺＹ面におけるＹ方向に対する背面側放熱板２３ｃｂの移動を規制する第４リブ２３ｓｄと、を有する。
【００５１】
第３リブ２３ｓｃは、背面側放熱板２３ｃｂをＸ方向に支持する支持面２３ｓｃａと、Ｚ方向に対する背面側放熱板２３ｃｂの移動を規制する規制面２３ｓｃｂと、を有する。第４リブ２３ｓｄは、背面側放熱板２３ｃｂをＸ方向に支持する支持面２３ｓｄａと、Ｙ方向に対する背面側放熱板２３ｃｂの移動を規制する規制面２３ｓｄｂと、を有する。第３リブ２３ｓｃ及び第４リブ２３ｓｄは、背面側ケース部材２３ｅｂの底部２３ｅｄａから突出して形成されており、背面側放熱板２３ｃｂと背面側ケース部材２３ｅｂの内面との間に空間をあけた状態で背面側放熱板２３ｃｂの外周部２３ｃｂｈを支持する。第３リブ２３ｓｃ及び第４リブ２３ｓｄは、内周壁２３ｐｂと第１側部２３ｅｄｂとに跨って形成されており、内周壁２３ｐｂの機械的強度が補強されている。
【００５２】
図９及び図１０に示すように、前面側ケース部材２３ｅａは、背面側ケース部材２３ｅｂと同様に、合成樹脂材によって、前面側放熱板２３ｃａの外形よりも一回り大きい略三角形状に形成されている。前面側ケース部材２３ｅａの前面側内部空間は、例えば、ＰＴＣヒータ２３ｂ及び前面側放熱板２３ｃａが配置される加熱空間部Ｓ１ａを有しており、加熱空間部Ｓ１ａが、前面側放熱板２３ｃａを介して脱臭フィルタ２３ａａを加熱するための空間として機能する。
【００５３】
前面側ケース部材２３ｅａは有底の箱状に形成されており、底部２３ｅｃａと、前面側ケース部材２３ｅａの外周に沿って形成された外周壁としての第１側部２３ｅｃｂ、第２側部２３ｅｃｃ、第３側部２３ｅｃｄ及び第４側部２３ｅｃｅと、を有する。底部２３ｅｃａは、略三角形の板状に形成されている。第１側部２３ｅｃｂ、第２側部２３ｅｃｃ、第３側部２３ｅｃｄ及び第４側部２３ｅｃｅは、それぞれ、底部２３ｅｃａの外周部から立ち上がって形成されている。第１側部２３ｅｃｂは、底部２３ｅｃａの外周部における、脱臭フィルタ部２３ａの貫通孔２３ａｄ側に配置される部分に形成されている。第４側部２３ｅｃｅは、底部２３ｅｃａの外周部における、脱臭フィルタ部２３ａの外周側に配置される部分に形成されている。第２側部２３ｅｃｃと第３側部２３ｅｃｄは、底部２３ｅｃａの外周部のＹ方向の両側の部分に形成されている。底部２３ｅｃａと第１側部２３ｅｃｂ、第２側部２３ｅｃｃ、第３側部２３ｅｃｄ及び第４側部２３ｅｃｅとで囲まれた空間が前面側内部空間となる。
【００５４】
図１０に示すように、前面側ケース部材２３ｅａの底部２３ｅｃａには、前面側放熱板２３ｃａの外周に沿って内周壁２３ｐａが形成されている。内周壁２３ｐａは、第１側部２３ｅｃｂ、第２側部２３ｅｃｃ、第３側部２３ｅｃｄに対して所定の間隔をあけて形成されており、内周壁２３ｐａの両端が第４側部２３ｅｃｅに連結されている。内周壁２３ｐａで囲まれた空間を加熱空間部Ｓ１ａとする。このため、前面側ケース部材２３ｅａで形成される前面側内部空間は、底部２３ｅｃａと内周壁２３ｐａで囲まれた加熱空間部Ｓ１ａと、底部２３ｅｃａと第２側部２３ｅｃｃと内周壁２３ｐａとで囲まれた予熱空間部Ｓ２ａと、底部２３ｅｃａと第３側部２３ｅｃｄと内周壁２３ｐａとで囲まれた保温空間部Ｓ３ａと、を有する。予熱空間部Ｓ２ａ及び保温空間部Ｓ３ａは、加熱空間部Ｓ１ａとケース２３ｅの外部とを断熱する空間（空気層）として機能すると共に、加熱空間部Ｓ１ａから伝わる熱によって内部が温められる空間として機能する。したがって、前面側ケース部材２３ｅａの前面側内部空間は、内周壁２３ｐａによって、加熱空間部Ｓ１ａと、予熱空間部Ｓ２ａと、保温空間部Ｓ３ａとにそれぞれ分けられている。すなわち、内周壁２３ｐａは、加熱空間部Ｓ１ａと、予熱空間部Ｓ２ａと、保温空間部Ｓ３ａとをそれぞれ分ける分割部の一例である仕切り壁として、底部２３ｅｃａに一体に形成されている。
【００５５】
前面側ケース部材２３ｅａの底部２３ｅｃａには、脱臭フィルタ部２３ａの貫通孔２３ａｄに対向する位置に軸座部２３ｘｃが形成される。軸座部２３ｘｃには背面側ケース部材２３ｅｂの軸部２３ｘａの先端が突き当てられる軸座部２３ｘｃが形成されている。軸座部２３ｘｃはネジ２３ｔがねじ込まれる貫通孔２３ｘｃａを有する。また、前面側ケース部材２３ｅａの底部２３ｅｃａのＹ方向における両側で、かつ、第４側部２３ｅｃｅと隣接する位置には、背面側ケース部材２３ｅｂのボス２３ｘｂの先端が突き当てられるボス座部２３ｘｄが形成されている。ボス座部２３ｘｄはネジ２３ｔがねじ込まれる貫通孔２３ｘｄａを有する。
【００５６】
また、前面側ケース部材２３ｅａの底部２３ｅｃａには、ボス座部２３ｘｄと隣接するように、第１リブ２３ｓｅ及び第２リブ２３ｓｆが形成されている。第１リブ２３ｓｅ及び第２リブ２３ｓｆは、背面側ケース部材２３ｅｂの第１支持部２３ｓ１の第１リブ２３ｓａ及び第２リブ２３ｓｂがそれぞれ突き当てられる。また、前面側ケース部材２３ｅａの第１リブ２３ｓｅ及び第２リブ２３ｓｆは、前面側放熱板２３ｃａに接することで、前面側放熱板２３ｃａ、ＰＴＣヒータ２３ｂ及び背面側放熱板２３ｃｂのＸ方向に対する移動を規制する。第１リブ２３ｓｅ及び第２リブ２３ｓｆは、前面側ケース部材２３ｅａの底部２３ｅｃａから突出して形成されており、前面側放熱板２３ｃａと前面側ケース部材２３ｅａの底部２３ｅｄａとの間に空間（空気層）をあけた状態で前面側放熱板２３ｃａの外周部２３ｃａｈを支持する。
【００５７】
前面側ケース部材２３ｅａの底部２３ｅｃａには、前面側放熱板２３ｃａの外周部２３ｃａｈを支持する支持部２３ｓ３が形成されている。支持部２３ｓ３は、前面側ケース部材２３ｅａのＺ方向における一端側（脱臭フィルタ部２３ａの貫通孔２３ａｄ側）に、軸座部２３ｘｃに隣接して配置されている。支持部２３ｓ３は、前面側放熱板２３ｃａのＺＹ面内方向におけるＺ方向に対する前面側放熱板２３ｃａの移動を規制する第３リブ２３ｓｇと、前面側放熱板２３ｃａのＺＹ面内方向におけるＹ方向に対する前面側放熱板２３ｃａの移動を規制する第４リブ２３ｓｈと、を有する。
【００５８】
第３リブ２３ｓｇは、前面側放熱板２３ｃａをＸ方向に支持する支持面２３ｓｇａと、ＺＹ面内方向におけるＺ方向に対する前面側放熱板２３ｃａの移動を規制する規制面２３ｓｇｂと、を有する。第４リブ２３ｓｈは、前面側放熱板２３ｃａをＸ方向に支持する支持面２３ｓｈａと、ＺＹ面内方向におけるＹ方向に対する前面側放熱板２３ｃａの移動を規制する規制面２３ｓｈｂと、を有する。第３リブ２３ｓｇ及び第４リブ２３ｓｈは、前面側ケース部材２３ｅａの底部２３ｅｃａから突出して形成されており、前面側放熱板２３ｃａと前面側ケース部材２３ｅａの底部２３ｅｃａとの間に空間（空気層）をあけた状態で前面側放熱板２３ｃａの外周部２３ｃａｈを支持する。第３リブ２３ｓｇ及び第４リブ２３ｓｈは、内周壁２３ｐａと第１側部２３ｅｃｂとに跨って形成されており、内周壁２３ｐａの機械的強度が補強されている。
【００５９】
前面側ケース部材２３ｅａと背面側ケース部材２３ｅｂとが組み合わされることで、ＰＴＣヒータ２３ｂ、前面側放熱板２３ｃａ及び背面側放熱板２３ｃｂ、脱臭フィルタ部２３ａの一部が内部に収容されるケース２３ｅが構成される。脱臭フィルタ部２３ａの貫通孔２３ａｄには、背面側ケース部材２３ｅｂの軸部２３ｘａが挿通されることで、脱臭フィルタ部２３ａが軸部２３ｘａに回転可能に支持されている。また、図８及び図９に示すように、軸部２３ｘａは、後述する規制部材としての円筒状のシャフト部材２３ｘｅ内へ通されており、脱臭フィルタ部２３ａの貫通孔２３ａｄに通されたシャフト部材２３ｘｅを介して、脱臭フィルタ部２３ａを支持している。シャフト部材２３ｘｅは、例えば、ステンレス等の熱伝導性を有する金属材料等によって形成されている。
【００６０】
以上のように組み立てられた脱臭ユニット２３は、図６に示すように、フィルタ再生部２３ｆが保持部２３ｇの再生部収納部２３ｇｅ内に収容されている。また、脱臭フィルタ部２３ａは、外周部フィルタカバー２３ａｃの歯車部３４が駆動歯車２３ｊに噛み合わされており、駆動部２３ｈによって回転される。さらに、脱臭フィルタ部２３ａは、外周部フィルタカバー２３ａｃの歯車部３４が回転検出用歯車２３ｋに噛み合わされており、回転検出部２３ｒによって回転が検出される。
【００６１】
上述のように構成されたフィルタ再生部２３ｆのケース２３ｅについて、本実施例の特徴となる構成を以下説明する。図１２は、実施例における背面側ケース部材２３ｅｂの加熱空間部Ｓ１ｂ、予熱空間部Ｓ２ｂ及び保温空間部Ｓ３ｂを説明するための平面図である。図１３は、実施例における背面側ケース部材２３ｅｂの加熱空間部Ｓ１ｂに背面側放熱板２３ｃｂを取り付けた状態を示す平面図である。ここでは、説明の便宜上、背面側ケース部材２３ｅｂを参照して説明する。
【００６２】
背面側ケース部材２３ｅｂと前面側ケース部材２３ｅａとが組み合わされてケース２３ｅが構成されたとき、ケース２３ｅ内には、図８、図１２及び図１３に示すように、背面側ケース部材２３ｅｂの加熱空間部Ｓ１ｂと前面側ケース部材２３ｅａの加熱空間部Ｓ１ａとが組み合わされた加熱空間部Ｓ１が形成される。また、ケース２３ｅ内には、背面側ケース部材２３ｅｂの予熱空間部Ｓ２ｂと前面側ケース部材２３ｅａの予熱空間部Ｓ２ａとが組み合わされた予熱空間部Ｓ２が形成される。同様に、ケース２３ｅ内には、背面側ケース部材２３ｅｂの保温空間部Ｓ３ｂと前面側ケース部材２３ｅａの保温空間部Ｓ３ａとが組み合わされた保温空間部Ｓ３が形成される。
【００６３】
予熱空間部Ｓ２及び保温空間部Ｓ３は、ケース２３ｅの外周に沿って形成されており、内周壁２３ｐｂ、２３ｐａを挟んで加熱空間部Ｓ１に隣接している。予熱空間部Ｓ２は、脱臭フィルタ２３ａａの周方向において、加熱空間部Ｓ１へ脱臭フィルタ２３ａａが進入する進入側、言い換えると、加熱空間部Ｓ１に対する脱臭フィルタ２３ａａの移動方向の上流側に配置されている。保温空間部Ｓ３は、脱臭フィルタ２３ａａの周方向において、加熱空間部Ｓ１から脱臭フィルタ２３ａａが退出する退出側、言い換えると、加熱空間部Ｓ１に対する脱臭フィルタ２３ａａの移動方向の下流側に配置されている。
【００６４】
また、図１３に示すように、加熱空間部Ｓ１は、加熱空間部Ｓ１内に支持された放熱板２３ｃ（前面側放熱板２３ｃａ、背面側放熱板２３ｃｂ）の外周部２３ｃａｈ、２３ｃｂｈと、内周壁２３ｐｂ、２３ｐａとの間に所定の隙間ｄ１を有する。このため、隙間ｄ１内の空気層により、放熱板２３ｃの熱が、放熱板２３ｃの外周部２３ｃａｈ、２３ｃｂｈから、内周壁２３ｐｂ、２３ｐａを伝わってケース２３ｅへ逃げることが抑えられている。なお、実施例では、例えば、隙間ｄ１が３［ｍｍ］程度に設定されており、加熱空間部Ｓ１側の側面と第２側部２３ｅｄｃ、２３ｅｃｃとの間隔ｄ２、及び内周壁２３ｐｂ、２３ｐａの、加熱空間部Ｓ１側の側面と第３側部２３ｅｄｄ、２３ｅｃｄとの間隔ｄ２が、２０［ｍｍ］程度に設定されている。
【００６５】
したがって、上述のように、加熱空間部Ｓ１の外周側（放熱板２３ｃの外周側）に沿って予熱空間部Ｓ２及び保温空間部Ｓ３が形成され、かつ、加熱空間部Ｓ１内の放熱板２３ｃが、ケース２３ｅの第１支持部２３ｓ１及び第２支持部２３ｓ２によってケース２３ｅの底部２３ｅｃａ、２３ｅｄａとの間に空間をあけて支持されている。このため、ケース２３ｅの底部２３ｅｃａ、２３ｅｄａと放熱板２３ｃとの間に断熱部材を設けることなく、放熱板２３ｃの熱がケース２３ｅへ伝わり、ケース２３ｅの外部へ放出されることが抑えられ、ケース２３ｅの小型化が図られている。
【００６６】
［ケースの予熱空間部及び保温空間部の作用］
図１４は、実施例における予熱空間部及び保温空間部の概念を説明するための模式図である。概念を示す図１４では、実施例を示す図１５と区別するため、加熱空間部Ｓ１、予熱空間部Ｓ２及び保温空間部Ｓ３、角度θについて、加熱空間部Ｓｉ１、予熱空間部Ｓｉ２及び保温空間部Ｓｉ３、角度θｉとして説明する。図１５は、実施例におけるケース２３ｅの予熱空間部Ｓ２及び保温空間部Ｓ３の作用を説明するための模式図である。ケース２３ｅ内の予熱空間部Ｓ２及び保温空間部Ｓ３は、加熱空間部Ｓ１内の熱が、ケース２３ｅの外部へ逃げることを抑えることにより、加熱空間部Ｓ１の温度の低下を抑え、加熱空間部Ｓ１によって脱臭フィルタ２３ａａが効率的に加熱される。したがって、予熱空間部Ｓ２及び保温空間部Ｓ３は、加熱空間部Ｓ１からの熱が伝わることで、予熱空間部Ｓ２及び保温空間部Ｓ３内の温度が外側の空気（脱臭フィルタを通過する被処理空気）の温度よりも高められている。
【００６７】
このため、加熱空間部Ｓ１に対して脱臭フィルタ２３ａａがＲ方向に回転する場合、加熱空間部Ｓ１に対する脱臭フィルタ２３ａａの進入側に位置する予熱空間部Ｓ２は、加熱空間部Ｓ１によって加熱される直前に脱臭フィルタ２３ａａの一部を予め温める機能を有する。同様に、加熱空間部Ｓ１に対する脱臭フィルタ２３ａａの退出側に位置する保温空間部Ｓ３は、加熱空間部Ｓ１内で加熱された脱臭フィルタ２３ａａの一部を保温する機能を有する。
【００６８】
まず、概念として、図１４に示すように、脱臭フィルタ２３ａａがＲ方向に回転するとき、加熱空間部Ｓｉ１は、脱臭フィルタ２３ａａの貫通孔２３ａｄの中心Ｏ１回り、すなわち脱臭フィルタ２３ａａの周方向に対して角度θｉ１をなしている。この場合、予熱空間部Ｓ２が中心Ｏ１回りに角度θｉ２をなし、保温空間部Ｓ３が中心Ｏ１回りに角度θｉ３をなすときに、θｉ１≧θｉ２、θｉ１≧θｉ３に設定されている。駆動部２３ｈは、脱臭フィルタ２３ａａの回転に伴って、予熱空間部Ｓｉ１内で温められた脱臭フィルタ２３ａａの領域が、加熱空間部Ｓｉ１内で加熱され、保温空間部Ｓｉ３内で保温されるように、脱臭フィルタ２３ａａを所定周期で回転させる。例えば、駆動部２３ｈは、制御部としての駆動制御回路（図示せず）により、脱臭フィルタ２３ａａを連続的に駆動するように制御される。本発明はこれに限られず、駆動部２３ｈは、例えば、脱臭フィルタ２３ａａを間欠的に回転させてもよい。この場合、駆動部２３ｈは、予熱空間部Ｓｉ２内で停止させた脱臭フィルタ２３ａａの領域を、加熱空間部Ｓｉ１内で停止させる。また、駆動部２３ｈは、加熱空間部Ｓｉ１内で停止させた脱臭フィルタ２３ａａの領域を、保温空間部Ｓｉ３内で停止させる。駆動部２３ｈは、このようにして脱臭フィルタ２３ａａを間欠的に駆動する。このように脱臭フィルタ２３ａａを予熱空間部Ｓｉ２内で停止させた後に加熱空間部Ｓｉ１内で停止させる制御と、加熱空間部Ｓｉ１内で停止させた後に保温空間部Ｓｉ３内で停止させる制御は、いずれか一方を実行してもよいし、両方を実行してもよい。
【００６９】
一方、具体的な構成例として、本実施例におけるケース２３ｅの構成について説明する。本実施例におけるケース２３ｅでは、図１５に示すように、加熱空間部Ｓ１の角度θが中心Ｏ２回りであり、中心Ｏ２が、図１４に示した中心Ｏ１に対して位置が図中の下方へずれている。また、本実施例では、予熱空間部Ｓ２と保温空間部Ｓ３を含めたケース２３ｅ全体がなす角度、すなわち、脱臭フィルタ２３ａａの周方向におけるケース２３ｅの一端側（脱臭フィルタ２３ａａの進入側）の側面と、ケース２３ｅの他端側（脱臭フィルタ２３ａａの退出側）の側面とを結ぶ中心Ｏ３回りに対する角度が、加熱空間部Ｓ１の角度θ１と等しく形成されている。このため、実施例では、角度θ１が中心Ｏ２回りと中心Ｏ３回りであり、図１４に示した中心Ｏ１に対して位置が図中の下方へずれている。この点で図１４の概念図と本実施例とは相違する。しかし、このようなケース２３ｅであっても、予熱空間部Ｓ２内で予め暖められた領域が加熱空間部Ｓ１内で加熱された場合や、加熱空間部Ｓ１内で加熱された領域が保温空間部Ｓ３内で保温された場合には、概念上における構成と同様の効果が得られる。
【００７０】
なお、実施例におけるケース２３ｅ内の角度θ１の領域は、図１４に示した角度θｉ１の領域に対して、脱臭フィルタ２３ａａの周方向の両側へ、所定寸法（例えば５ｍｍ程度）部分的に広げることにより、加熱空間部Ｓ１が形成されている。また、ケース２３ｅでは、加熱空間部Ｓ１に対して、脱臭フィルタ２３ａａの周方向の両側へ、所定寸法（例えば２０ｍｍ程度）広げることにより、予熱空間部Ｓ２及び保温空間部Ｓ３がそれぞれ形成されている。また、角度θ１は、例えば、２２．５度程度に設定されている。
【００７１】
［脱臭フィルタ部の回転制御］
予熱空間部Ｓ２によって脱臭フィルタ２３ａの一部を予め温め、保温空間部Ｓ３によって脱臭フィルタ２３ａを保温する場合について、駆動部２３ｈによる脱臭フィルタ２３ａａの回転制御を説明する。図１６は、実施例における脱臭フィルタ２３ａａの加熱状態を模式的に示すグラフである。図１６において、縦軸が、脱臭フィルタ２３ａａの加熱部分の温度［℃］を示し、横軸が時間を指している。また、図１６において、実施例における脱臭フィルタ２３ａａの加熱部分の温度変化を実線で示す。比較例として、ケース内に加熱空間部Ｓ１のみを有する構成における脱臭フィルタ２３ａａの加熱部分の温度変化を一点鎖線で示す。
【００７２】
脱臭フィルタ部２３ａの回転制御の一例としては、駆動部２３ｈが所定の回転速度で脱臭フィルタ２３ａａが連続して回転を続ける。この場合、例えば、１時間で脱臭フィルタ２３ａａを１回転させるように、駆動部２３ｈによって脱臭フィルタ２３ａａが連続的に回転駆動される。このとき、加熱空間部Ｓ１によって脱臭フィルタ２３ａａの一部が加熱されることに伴って、脱臭フィルタ２３ａａの加熱部分の温度が変化する。図１６では、脱臭フィルタ２３ａａの周方向において、加熱空間部Ｓ１内へ進入を開始する進入側端部の温度変化を示している。
【００７３】
まず、比較例では、図１６中に一点鎖線で示すように、脱臭フィルタ２３ａａの温度が変化する。加熱空間部Ｓ１内へ進入を開始する脱臭フィルタ２３ａａの進入側端部が、時刻ｔ２で加熱空間部Ｓ１へ入り、進入側端部の温度が徐々に上昇する。脱臭フィルタ２３ａａの進入側端部、つまり加熱部分の温度は、室温から上昇して、時刻ｔ４で所定温度Ｆ以上に達することにより、脱臭フィルタ２３ａａの加熱部分に吸着されている臭気成分が分解され、加熱部分の脱臭能力の再生作用が生じる。
【００７４】
続いて、脱臭フィルタ２３ａａの加熱部分は、加熱空間部Ｓ１内で加熱されることで、最高温度に達し、そのまま一定の温度に保たれた後、脱臭フィルタ２３ａａの進入側端部が、加熱空間部Ｓ１から退出することで、温度が徐々に低下する。そして、脱臭フィルタ２３ａａの進入側端部の温度は、時刻ｔ５で所定温度Ｆ未満に下がり、室温まで低下する。したがって、比較例では、脱臭フィルタ２３ａａの進入側端部において脱臭能力の再生作用が得られる時間が有効時間Ｅ１（＝ｔ５−ｔ４）となる。
【００７５】
一方、比較例に比べて、実施例は、図１６中に実線で示すように、脱臭フィルタ２３ａａの進入側端部は、時刻ｔ１で予熱空間部Ｓ２内へ入る。その後、進入側端部の温度が、室温から緩やかに上昇し、時刻ｔ２で予熱温度に達する。続いて、脱臭フィルタ２３ａａの進入側端部は、加熱空間部Ｓ１内へ入る。進入側端部は予熱空間部Ｓ２で予め温度が予熱温度まで高められているので、加熱空間部Ｓ１内で加熱されることにより、時刻ｔ４より早い時刻ｔ３で比較的に速く所定温度Ｆに達する。すなわち、脱臭フィルタ２３ａａの進入側端部は、加熱空間部Ｓ１で加熱される前に、予熱空間部Ｓ２内で予め室温よりも高い温度まで温められることで、Ｓ１に入ってから所定温度Ｆに達するまでに要する時間が短縮される。続いて、脱臭フィルタ２３ａａの進入側端部は、加熱空間部Ｓ１内で加熱されることで、最高温度に達し、そのまま一定の最高温度に保たれた後、進入側端部が、加熱空間部Ｓ１から退出することで、温度が徐々に低下する。
【００７６】
このとき、加熱空間部Ｓ１から退出した脱臭フィルタ２３ａａの進入側端部は、保温空間部Ｓ３内へ入ることで、温度の低下が緩やかになる。すなわち、脱臭フィルタ２３ａａの進入側端部は、保温空間部Ｓ３内を移動する間に、所定温度Ｆ以上に保たれる時間が延ばされ、脱臭能力の再生作用が続く。そして、脱臭フィルタ２３ａａの進入側端部の温度は、保温空間部Ｓ３内の移動中に、時刻ｔ６で所定温度Ｆ未満に下がる。したがって、実施例では、脱臭フィルタ２３ａａの進入側端部において再生作用が得られる時間は、有効時間Ｅ２（＝ｔ６−ｔ３）となり、比較例における有効時間Ｅ１よりも長く確保される。所定温度Ｆ未満に下がった後、脱臭フィルタ２３ａａの進入側端部は、時刻ｔ７で保温空間部Ｓ３から退出し、室温まで低下する。このように、実施例によれば、脱臭フィルタ２３ａａの加熱部分において脱臭能力の再生作用が得られる有効時間Ｅ２が比較例の有効時間Ｅ１よりも長くなるので、脱臭フィルタ２３ａａの再生効率が高められている。
【００７７】
また、脱臭フィルタ部２３ａの回転制御の他の例としては、図１５に示すように、脱臭フィルタ２３ａａの周方向（回転方向Ｒ）に対する加熱空間部Ｓ１の角度（軸部２３ｘａを中心とする中心角）をθ１としたとき、駆動部２３ｈによって脱臭フィルタ２３ａａを、角度θ１よりも小さい回転角度、例えば、θ１／２の回転角度で間欠的に回転駆動させてもよい。また、予熱空間部Ｓ２及び保温空間部Ｓ３は、脱臭フィルタ２３ａａの周方向に対して、加熱空間部Ｓ１から延ばされた寸法が、例えば、角度θ１／２程度に設定されるとよい。
【００７８】
このように脱臭フィルタ２３ａａを間欠的に回転させることで、予熱空間部Ｓ２内で予熱された予熱領域が、加熱空間部Ｓ１内へ入って加熱され、加熱空間部Ｓ１内で加熱された加熱領域が、保温空間部Ｓ３内へ入って保温され、保温空間部Ｓ３内で保温された保温領域が、ケース２３ｅから外部へ退出する。この場合にも、図１６に示すように、有効時間Ｅ２を適正に確保することができる。
【００７９】
なお、上述した一例では、脱臭フィルタ２３ａａが角度θ１／２で間欠的に回転されたが、脱臭フィルタ２３ａａが所定時間で角度θ１／２ずつ回転するように連続的に回転されてもよく、上述と同様の効果が得られる。
【００８０】
また、空気清浄機１の運転開始直後は、ＰＴＣヒータ２３ｂによって放熱板２３ｃが十分に加熱されていないので、フィルタ再生部２３ｆの初回の動作時のみ、例えば、脱臭フィルタ２３ａａの回転速度が遅くなるように制御することで、脱臭フィルタ２３ａａの加熱時間を長く確保してもよい。これにより、脱臭フィルタ２３ａａの周方向において、加熱空間部Ｓ１により脱臭フィルタ２３ａａ全体を均一に加熱することが可能になる。
【００８１】
［空気清浄機の動作］
空気清浄機１は、使用者が操作部１５を操作することで、運転を開始する。空気清浄機１は、運転を開始したとき、送風機２５が駆動されると共に、集塵ユニット２２の第１電気集塵機２２ａ及び第２電気集塵機２２ｂが通電され、加湿ユニット２４の加湿フィルタ２４ａが回転を開始する。空気清浄機１は、送風機２５が駆動されることで、上面吸込口１３ａ、右側面吸込口１３ｂ、左側面吸込口１３ｃ及び下側吸込口１３ｄから、本体筐体１１の内部へ空気が吸い込まれる。
【００８２】
本体筐体１１の内部に吸い込まれた空気は、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって通風路１０を流れる。通風路１０を流れる空気は、まず、プレフィルタ２１によって塵埃が捕集される。プレフィルタ２１によって塵埃が捕集された空気は、プレフィルタ２１で捕集されなかった細かな塵埃や花粉等が、集塵ユニット２２によって捕集される。集塵ユニット２２によって塵埃が捕集された空気は、一部が脱臭ユニット２３に供給され、残りが加湿ユニット２４に供給される。
【００８３】
脱臭ユニット２３に供給された空気は、保持部２３ｇの開口部２３ｇｄを介して、脱臭フィルタ２３ａａにおけるフィルタ再生部２３ｆによって覆われていない通風面に供給される。脱臭フィルタ２３ａａの通風面に供給された空気は、脱臭フィルタ２３ａａを通過することにより、臭気成分が除去され、脱臭される。このとき、脱臭ユニット２３の脱臭フィルタ２３ａａは、脱臭ユニット２３に供給された空気が、プレフィルタ２１と集塵ユニット２２とにより塵埃や花粉等があらかじめ除去されていることにより、塵埃や花粉等によって目詰まりすることが防止される。
【００８４】
脱臭ユニット２３により脱臭された空気は、一部が加湿ユニット２４に供給され、残りが送風機２５に供給される。加湿ユニット２４に供給された空気は、加湿ユニット２４により加湿される。加湿ユニット２４によって加湿された空気は、送風機２５に供給される。送風機２５に供給された空気は、上面吹出口１４ａ、右側面吹出口１４ｂ及び左側面吹出口１４ｃから、空気清浄機１の外部へ吹き出される。
【００８５】
空気清浄機１は、運転中に、ＰＴＣヒータ２３ｂに継続して通電を行うと共に、駆動部２３ｈを駆動させることで、例えば、脱臭フィルタ部２３ａを所定時間毎に所定の回転角度だけ回転させる。この所定時間は、脱臭フィルタ部２３ａの脱臭能力を再生するために必要な処理時間であり、例えば、１．５時間が例示される。所定の回転角度としては、３６度程度が例示される。空気清浄機１は、脱臭フィルタ部２３ａを回転させることにより、脱臭フィルタ２３ａａの周方向におけるフィルタ再生部２３ｆで覆われる部分の脱臭能力を再生する。すなわち、空気清浄機１は、脱臭フィルタ２３ａａのフィルタ再生部２３ｆで覆われる位置の脱臭能力の再生を行いつつ、脱臭フィルタ２３ａａのフィルタ再生部２３ｆで覆われていない部分を通過する空気を脱臭する。
【００８６】
上述のように実施例の脱臭ユニット２３が有するフィルタ再生部２３ｆのケース２３ｅの内部空間は、ＰＴＣヒータ２３ｂが配置される第一空間部（加熱空間部Ｓ１）と、ＰＴＣヒータ２３ｂが配置されない第二空間部（予熱空間部Ｓ２と保温空間部Ｓ３の少なくともいずれか一方）とを有する。予熱空間部Ｓ２を有する場合、ケース２３ｅの外側の空気（外気）に晒されていた脱臭フィルタ２３ａａが加熱空間部Ｓ１で加熱される前に、予熱空間部Ｓ２内で予め温められることにより、加熱空間部Ｓ１内で脱臭フィルタ２３ａａが脱臭能力の再生作用が生じる所定温度Ｆまで達するのに要する時間が短縮されるので、結果的に所定温度Ｆで再生作用が得られる有効時間Ｅ２を延ばすことができる。また、保温空間部Ｓ３を有する場合、加熱空間部Ｓ１で加熱された脱臭フィルタ２３ａａが、外気へ晒される前に保温空間部Ｓ３内で保温されることにより、脱臭フィルタ２３ａａが所定温度Ｆに保たれる有効時間Ｅ２が長くなるので、結果的に所定温度Ｆで再生作用が得られる有効時間Ｅ２を延ばすことができる。したがって、脱臭フィルタ２３ａａの加熱効率を高め、脱臭フィルタ２３ａａの再生効率を向上することができる。
【００８７】
また、実施例の脱臭ユニット２３における駆動部２３ｈは、予熱空間部Ｓ２内で停止させた脱臭フィルタ２３ａａの領域を、加熱空間部Ｓ１内で停止させ、続いて保温空間部Ｓ３内で停止させるように脱臭フィルタ２３ａａを間欠的に駆動する、これにより、加熱空間部Ｓ１で加熱される脱臭フィルタ２３ａａに対して、予熱空間部Ｓ２内での予熱作用と、保温空間部Ｓ３内での保温作用とを効果的に得ることができる。
【００８８】
また、実施例の脱臭ユニット２３におけるケース２３ｅの予熱空間部Ｓ２及び保温空間部Ｓ３は、ケース２３ｅの外周に沿って形成されている。これにより、予熱空間部Ｓ２及び保温空間部Ｓ３によって、加熱空間部Ｓ１とケース２３ｅの外部とを効果的に断熱することが可能になり、加熱空間部Ｓ１内での脱臭フィルタ２３ａａの加熱効率を高めることができる。
【００８９】
また、実施例の脱臭ユニット２３におけるケース２３ｅは、加熱空間部Ｓ１と予熱空間部Ｓ２とを仕切ると共に加熱空間部Ｓ１と保温空間部Ｓ３とを仕切る内周壁２３ｐａ、２３ｐｂを有する。これにより、簡素な構成によって、加熱空間部Ｓ１と予熱空間部Ｓ２とを分け、加熱空間部Ｓ１と保温空間部Ｓ３とを分けて形成することができる。
【００９０】
なお、実施例では、加熱空間部Ｓ１とケース２３ｅの外周壁（例えば第２側部２３ｅｄｃ、２３ｅｃｃ等）との間に１つの内周壁２３ｐａ、２３ｐｂのみが形成されたが、予熱空間部Ｓ２及び保温空間部Ｓ３内において、例えば、内周壁２３ｐａ、２３ｐｂの外周側に沿って別の内周壁が、内周壁２３ｐａ、２３ｐｂと間隔をあけて更に形成されてもよく、加熱空間部Ｓ１の断熱性を更に高めることができる。
【００９１】
また、実施例の脱臭ユニット２３におけるケース２３ｅの予熱空間部Ｓ２及び保温空間部Ｓ３は、内周壁２３ｐａ、２３ｐｂと、ケース２３ｅの外周壁（例えば第２側部２３ｅｄｃ、２３ｅｃｃ等）とによって形成されている。これにより、ケース２３ｅの小型化を図ることができる。
【００９２】
なお、本実施例における予熱空間部Ｓ２と保温空間部Ｓ３は、脱臭フィルタ２３ａａの周方向（回転方向）に対する大きさが等しく形成されたが、脱臭フィルタ２３ａａの回転条件等の必要に応じて、予熱空間部Ｓ２と保温空間部Ｓ３の一方の大きさを異ならせてもよい。また、本実施例におけるケース２３ｅは、予熱空間部Ｓ２と保温空間部Ｓ３とを有するが、予熱空間部Ｓ２または保温空間部Ｓ３の一方のみを有する構成に変更されてもよい。
【符号の説明】
【００９３】
１  空気清浄機
２３  脱臭ユニット（吸着ユニット）
２３ａ  脱臭フィルタ部
２３ａａ  脱臭フィルタ（フィルタ）
２３ｂ  ＰＴＣヒータ（ヒータ）
２３ｃ  放熱板
２３ｃａ  前面側放熱板
２３ｃｂ  背面側放熱板
２３ｆ  フィルタ再生部
２３ｅ  ケース
２３ｅａ  前面側ケース部材
２３ｅｂ  背面側ケース部材
２３ｈ  駆動部
２３ｐａ、２３ｐｂ  内周壁（仕切り壁）
Ｓ１（Ｓ１ａ、Ｓ１ｂ）  加熱空間部
Ｓ２（Ｓ２ａ、Ｓ２ｂ）  予熱空間部
Ｓ３（Ｓ３ａ、Ｓ３ｂ）  保温空間部
ｄ１  隙間
【図１】
2018153744.tif 000003
【図２】
2018153744.tif 000004
【図３】
2018153744.tif 000005
【図４】
2018153744.tif 000006
【図５】
2018153744.tif 000007
【図６】
2018153744.tif 000008
【図７】
2018153744.tif 000009
【図８】
2018153744.tif 000010
【図９】
2018153744.tif 000011
【図１０】
2018153744.tif 000012
【図１１】
2018153744.tif 000013
【図１２】
2018153744.tif 000014
【図１３】
2018153744.tif 000015
【図１４】
2018153744.tif 000016
【図１５】
2018153744.tif 000017
【図１６】
2018153744.tif 000018